(57)【要約】      （修正有）【課題】連動させる、同時に動かす、独立して動かすという運動方法を備え、既存の足の運動器具にも取り付けられる、多機能アーム回転グリップ運動器具を提供する。【解決手段】ユニバーサル固定支持装置１０を備え、頂端には五又分岐管が固定され、五又分岐管左側に一組の左アーム運動装置２０、右側に右アーム運動装置３０、上方に一組の減衰調整装置５０、一組のクイック取り外しピン装置４０がそれぞれ設けられる。クイック取り外しピン装置は、左、右アーム運動装置の各アーム回転グリップ２５、３５を素早く連結して位置決めさせ、相互の差が０度で同時に動かす、１８０度で連動させる、あるいは、左、右アーム運動装置を素早く分離し独立させる。減衰調整装置は必要な需減衰強度を調整して素早く運動効果を達成する。また、ユニバーサル固定支持装置により、既存の足の運動器具のバー部材に取り付けて手足の運動器具にすることができる。【選択図】図２
0003210539.tif 000002
【実用新案登録請求の範囲】
【請求項１】
ユニバーサル固定支持装置と、一組の左アーム運動装置と、一組の右アーム運動装置と、一組のクイック取り外しピン装置と、一組の減衰調整装置とからなる多機能アーム回転グリップ運動器具であって、
前記ユニバーサル固定支持装置の頂端には五又分岐管が固定され、ユニバーサル固定支持装置によって多機能アーム回転グリップ運動器具は既に所持している或は別途購入したあらゆる足の運動器具のバー部材に取り付けられ手及び足の運動器具になり、
前記左アーム運動装置は、五又分岐管左側に設けられ、
前記右アーム運動装置は、五又分岐管右側に設けられ、
前記クイック取り外しピン装置は、左アーム運動装置及び右アーム運動装置の左アーム回転グリップ及び右アーム回転グリップを素早く連結して位置決めさせ、相互の差が０度で同時に動かすこと、あるいは、相互の差が１８０度で連動させることができ、また、左アーム運動装置と右アーム運動装置を素早く分離させて、それぞれ独立させることもでき、
前記減衰調整装置は五又分岐管の上方に設けられ、減衰調整装置は、減衰を左アーム運動装置及び右アーム運動装置に生じさせることで、減衰調整装置によって必要な需減衰強度を調整することができ、従って素早く運動効果を達成することができることを特徴とする、多機能アーム回転グリップ運動器具。
【請求項２】
前記左アーム運動装置は、主軸と、左フライホイールと、第一固定ブロックと、左アーム回転グリップとからなり、主軸は前記五又分岐管内に枢設され、主軸左側にはスプラインハブが設けられ、前記左フライホイールには貫通する第一スプライン溝が設けられ、左フライホイールは、第一スプライン溝によって主軸スプラインハブに固定され、前記第一固定ブロックには貫通する第二スプライン溝が設けられ、第一固定ブロックは、第二スプライン溝によって主軸スプラインハブに固定され、主軸左側には第一雄ねじが設けられ、それにより第一ナットで第一固定ブロックと左フライホイールを螺合し、第一固定ブロック側面には複数のネジ穴が設けられ、前記左アーム回転グリップには複数のネジが設けられて前記第一固定ブロック側面の複数のネジ穴に螺合され、以上により、固定されて一体になった主軸及び左フライホイール及び第一固定ブロック及び左アーム回転グリップが左アーム運動装置を形成することを特徴とする、請求項１に記載の多機能アーム回転グリップ運動器具。
【請求項３】
前記右アーム運動装置は、右フライホイールと、第二固定ブロックと、右フライホイールとからなり、右フライホイールは、複数の軸受によって間隔をあけて前記主軸に取り付けられ、第二固定ブロックも、複数の軸受によって間隔をあけて主軸に取り付けられ、右フライホイール側面には第一キー溝が設けられ、第二固定ブロック側面には第一キー溝と対応するように第二キー溝が設けられ、キーブロックが第一、二キー溝に取り付けられて右フライホイールと第二固定ブロックが連結され、主軸右側には第二雄ねじが設けられて第二ナットで第二固定ブロックに螺合し位置決めし、第二固定ブロックのもう一方の側面には複数のネジ穴が設けられ、前記右アーム回転グリップには複数のネジが設けられて第二固定ブロック側面の複数のネジ穴に螺合され、以上により、連結された右アーム回転グリップ及び第二固定ブロック及び右フライホイールが右アーム運動装置を形成することを特徴とする、請求項１に記載の多機能アーム回転グリップ運動器具。
【請求項４】
前記クイック取り外しピン装置は、クイック取り外し台座管と、ピンと、バネと、カバー部材と、固定ネジ部材と、内カバー部材と、連結バーと、偏心ノブとからなり、前記クイック取り外し台座管内には遮断板が設けられ、ピンにバネをはめ込んだ後、遮断板によって貫通させることで、バネの一端がピンに当接し、他端は遮断板に当接し、カバー部材内には穿孔及び雌ねじが設けられ、穿孔には、固定ネジ部材の前端を通してピンの雌ねじに螺合し、内カバー部材には、雌ネジ、雄ねじが設けられ、雄ねじはカバー部材の雌ねじに螺合され、雌ねじは、連結バーの雄ねじに螺合され、連結バーの頂端に近い位置にはピン孔が設けられ、偏心ノブには、連結バーのピン孔と揃うピン孔が設けられ、それらピン孔にピンバーを貫通して固定し、偏心ノブは、クイック取り外し台座管頂端の弧面上に当接し、クイック取り外し台座管下方には雄ねじが設けられ、リング及び前記第二固定ブロックには雌ネジ穴がそれぞれ設けられてクイック取り外し台座管の雄ねじに螺合され、第二固定ブロックの雌ネジ穴には、さらに内側に向かって通孔が設けられ、前記通孔はピンを貫通させ、前記主軸におけるピンに揃う位置且つ左アーム回転グリップと同じ角度或は相互の差が１８０度の位置に、０度挿入孔及び１８０度挿入孔が設けられ、偏心ノブの引っ張る力を開放すると、バネに押されたピンが０度挿入孔に固定され、それにより、左、右アーム運動装置を同時に動かすことができ、バネに押されたピンが１８０度挿入孔に固定されると、左、右アーム運動装置は連動し、偏心ノブを回転させる引っ張る力を生じさせると、ピンが引っ張り上げられてバネが圧縮し、左、右アーム運動装置それぞれ独立するため、片手の運動或は両手でそれぞれ自由に運動することができることを特徴とする、請求項１に記載の多機能アーム回転グリップ運動器具。
【請求項５】
前記減衰調整装置は、弧状板と、圧力ノブと、からなり、前記弧状板における左、右フライホイール向きの両側面及び周囲面には、複数のブレーキ片が設けられ、弧状板中央の両側には、ガイド軸バーがそれぞれ設けられ、前記ガイド軸バー並びに弧状板内面に設けられた弾性部材によって弧状板が支えられ、前記圧力ノブは、弾性部品によって弧状板外面を押し付け、圧力ノブは、雄ねじによって前記五又分岐管頂面に設けられた雌ねじに螺合され、圧力ノブを締めることで、弾性部品は更に大きな圧力を弧状板にかけるとともに、全てのブレーキ片が左、右フライホイールにさらに強い減衰力を加えることを特徴とする、請求項１に記載の多機能アーム回転グリップ運動器具。
【請求項６】
前記ユニバーサル固定支持装置は、五又分岐管から下に延伸した二本の管体を備え、二本の管体下方には、第一湾曲管及び第二湾曲管がそれぞれ枢接され、第一、二湾曲管は、３６０度回転して最も適切な位置に調整することができ、第一湾曲管下方には、第一回転ヘッドが枢接され、第一回転ヘッド下方には第一前後振りヘッドが枢接され、それにより第一回転ヘッドが３６０度回転して最も適切な位置に調整することができ、また、第一前後振りヘッドは、３４０度の範囲で回転させて位置を調整し前後に振らせることができ、第二湾曲管下方には第二回転ヘッドが枢接され、第二回転ヘッド下方には第二前後振りヘッドが枢接され、それにより、第二回転ヘッドが３６０度回転して最も適切な位置に調整することができ、また、第二前後振りヘッドを３４０度の範囲で回転させて位置を調整し前後に振らせることができ、第一、二前後振りヘッドは、新しく購入した或はすでに所有している足の運動器具に固定されることを特徴とする、請求項１に記載の多機能アーム回転グリップ運動器具。
【請求項７】
前記多機能アーム回転グリップ運動器具は、さらにケースを備え、前記ケースは多機能アーム回転グリップ運動器具の外周に固定され、五又分岐管上及び左フライホイールと右フライホイールには、複数のセンサー素子が対応するように設けられ、ケースにはモニターが設けられ、モニターは前記センサー素子に電気的に連結され、それにより、左或は右フライホイールの回転速度がモニターに表示されて使用者がみることができることを特徴とする、請求項１に記載の多機能アーム回転グリップ運動器具。
【考案の詳細な説明】
【技術分野】
【０００１】
本考案は運動器具に関し、特に多機能アーム回転グリップ運動器具に関する。
【背景技術】
【０００２】
本考案者が考案した台湾実用新案第１００２１３４８４号「室内外自転車の多機能回転装置」は多機能の目的を達成することができるものの、その多機能はかなり複雑なメカニズムの上に成り立っており、このような複雑なメカニズムは、組み立てやメンテナンスが簡単でないだけでなく壊れやすい。また、従来のアーム運動器具は、両手で握って回転させることができるものの、二つのグリップが１８０度の差を保持しながら回転させて使用することしかできない。このように一種類の使用方法しかないと運動の楽しみがあるとはいえず、且つ、この従来のアーム運動器具は他の運動器具を付け加えることができず単体で使用するしかない。このため、従来のアーム運動器具は改善の必要がある。
【先行技術文献】
【特許文献】
【０００３】
【特許文献１】台湾実用新案第１００２１３４８４号明細書
【考案の概要】
【考案が解決しようとする課題】
【０００４】
本考案は、連動させる、同時に動かす、独立して動かすという運動方法を備えた両腕の運動装置であり、減衰の大きさを調整できる減衰調整装置も備えていて、さらに、ユニバーサル固定フレームを備えているため、どんな場所にでも固定でき、既存の足の運動器具にも取り付けられる、多機能アーム回転グリップ運動器具を提供することを目的とする。
【課題を解決するための手段】
【０００５】
上述の目的を達成するために、本考案は、ユニバーサル固定支持装置を備える。前記ユニバーサル固定支持装置の頂端には五又分岐管が固定され、前記五又分岐管左側には一組の左アーム運動装置が設けられ、五又分岐管右側には右アーム運動装置が設けられ、五又分岐管上方には一組の減衰調整装置、一組のクイック取り外しピン装置が設けられる。前記クイック取り外しピン装置は、左アーム運動装置及び右アーム運動装置の左アーム回転グリップ及び右アーム回転グリップを素早く連結して位置決めさせ、相互の差が０度で同時に動かすこと、あるいは、相互の差が１８０度で連動させることができ、また、左アーム運動装置と右アーム運動装置を素早く分離させて、それぞれ独立させることもできる。前記減衰調整装置は必要な需減衰強度を調整することができ、従って素早く運動効果を達成することができる。また、ユニバーサル固定支持装置によって多機能アーム回転グリップ運動器具は既に所持している或は別途購入したあらゆる足の運動器具のバー部材に取り付けられ手及び足の運動器具にすることができる。
【図面の簡単な説明】
【０００６】
【図１】本考案のケースを前方からみた平面図である。
【図２】本考案の一実施例の左側方向の立体図である。
【図３】本考案の一実施例の右側方向の立体図である。
【図４】本考案の一実施例のユニバーサル固定支持装置を前方からみた平面図である。
【図５】本考案の一実施例の一部の断面図である。
【図６】本考案の一実施例のもう一つの動作部分の断面図である。
【図７】本考案の一実施例のクイック取り外しピン装置の立体分解図である。
【図８】本考案の一実施例のクイック取り外しピン装置を主軸０度に固定した状態の断面図である。
【図９】本考案の一実施例のクイック取り外しピン装置を主軸１８０度に固定した状態の断面図である。
【図１０】本考案の一実施例のクイック取り外しピン装置を主軸に固定してない状態の断面図である。
【考案を実施するための形態】
【０００７】
本考案は、多機能アーム回転グリップ運動器具の設計を提供する。図１から図１０に示すように、本考案は、ユニバーサル固定支持装置１０と、一組の左アーム運動装置２０と、一組の右アーム運動装置３０と、一組のクイック取り外しピン装置４０と、一組の減衰調整装置５０とからなる。前記ユニバーサル固定支持装置１０の頂端には五又分岐管１１が固定され、ユニバーサル固定支持装置１０によって、多機能アーム回転グリップ運動器具１を、既に所持している或は別途購入したあらゆる足の運動器具のバー部材２に付け、手及び足の運動器具にすることができる。前記左アーム運動装置２０は五又分岐管１１の左側に設けられ、前記右アーム運動装置３０は五又分岐管１１右側に設けられる。前記クイック取り外しピン装置４０は、左、右アーム運動装置２０、３０の左、右アーム回転グリップ２５、３５を素早く連結して位置決めさせ、相互の差が０度で同時に動かすこと、あるいは、相互の差が１８０度で連動させることができ、また、左、右アーム運動装置２０、３０を素早く分離させて、それぞれ独立させることもできる。前記減衰調整装置５０は五又分岐管１１の上方に設けられる。減衰調整装置５０は、減衰を左アーム運動装置２０及び右アーム運動装置３０に生じさせる。減衰調整装置５０によって必要な需減衰強度を調整することができ、従って素早く運動効果を達成することができる。
【０００８】
前記多機能アーム回転グリップ運動器具の前記左アーム運動装置２０は、主軸２１と、左フライホイール２２と、第一固定ブロック２３と、左アーム回転グリップ２５とからなる。主軸２１は、前記五又分岐管１１内に枢接され、主軸２１左側にはスプラインハブ２１１が設けられる。前記左フライホイール２２には、貫通する第一スプライン溝２２１が設けられ、左フライホイール２２は、第一スプライン溝２２１によって主軸２１のスプラインハブ２１１へと固定される。前記第一固定ブロック２３には、貫通する第二スプライン溝２３１が設けられ、第一固定ブロック２３は、第二スプライン溝２３１によって主軸２１のスプラインハブ２１１に固定される。主軸２１左側には、第一雄ねじ２１２が設けられ、それにより、第一ナット２４で第一固定ブロック２３、左フライホイール２２に螺合し固定することができる。第一固定ブロック２３側面には複数のネジ穴２３２が設けられる。前記左アーム回転グリップ２５には、複数のネジ２５１が設けられ、前記第一固定ブロック２３側面の複数のネジ穴２３２に螺合される。以上により、固定され一体となった主軸２１及び左フライホイール２２及び第一固定ブロック２３及び左アーム回転グリップ２５が左アーム運動装置２０を形成する。
【０００９】
前記右アーム運動装置３０は、右フライホイール３１と、第二固定ブロック３３と、右アーム回転グリップ３５とからなる。右フライホイール３１は、複数の軸受３２によって間隔をあけて前記主軸２１に取り付けられ、第二固定ブロック３３も複数の軸受３２によって間隔をあけて主軸２１に取り付けられる。右フライホイール３１の側面には第一キー溝３１１が設けられ、第二固定ブロック３３側面には第二キー溝３３１が対応するように設けられる。キーブロック３４は、第一、二キー溝３１１、３３１に取り付けられ、さらには右フライホイール３１と第二固定ブロック３３に連結される。主軸２１右側には第二雄ねじ２１３が設けられ、それにより、第二ナット２６で第二固定ブロック３３を位置決めすることができる。第二固定ブロック３３のもう一方の側面には、複数のネジ穴３３２が設けられる。前記右アーム回転グリップ３５には複数のネジ３５１が設けられ、複数のネジ３５１は第二固定ブロック３３側面の複数のネジ穴３３２に螺合される。以上により、連結された右アーム回転グリップ３５及び第二固定ブロック３３及び右フライホイール３１が右アーム運動装置３０を形成する。
【００１０】
前記クイック取り外しピン装置４０は、クイック取り外し台座管４１と、ピン４２と、バネ４３と、カバー部材４４と、固定ネジ部材４５と、内カバー部材４６と、連結バー４７と、偏心ノブ４８とからなる。前記クイック取り外し台座管４１内には遮断板４１１が設けられる。ピン４２にバネ４３をはめ込んだ後、遮断板４１１によって貫通させることで、バネ４３の一端がピン４２に当接し、他端は遮断板４１１に当接する。カバー部材４４内には穿孔４４１及び雌ねじ４４２が設けられ、穿孔４４１には、固定ネジ部材４５の前端を通してピン４２の雌ねじ４２１に螺合する。内カバー部材４６には、雌ネジ４６１、雄ねじ４６２が設けられ、雄ねじ４６２はカバー部材４４の雌ねじ４４２に螺合され、雌ねじ４６１は、連結バー４７の雄ねじ４７１に螺合される。連結バー４７の頂端に近い位置にはピン孔４７２が設けられ、偏心ノブ４８には、連結バー４７ピン孔４７２と揃うピン孔４８１が設けられ、それらピン孔にピンバー４９を貫通して固定する。偏心ノブ４８は、クイック取り外し台座管４１頂端の弧面上に当接する。クイック取り外し台座管４１下方には雄ねじ４１２が設けられ、リング４１３及び前記第二固定ブロック３３には雌ネジ穴４１３１、３３３がそれぞれ設けられてクイック取り外し台座管４１の雄ねじ４１２に螺合される。第二固定ブロック３３の雌ネジ穴３３３には、さらに内側に向かって通孔３３４が設けられ、前記通孔３３４はピン４２を貫通させ、前記主軸２１におけるピン４２に揃う位置且つ左アーム回転グリップ２５と同じ角度或は相互の差が１８０度の位置に、０度挿入孔２１４及び１８０度挿入孔２１５が設けられる。偏心ノブ４８の引っ張る力を開放すると、バネ４３に押されたピン４２が０度挿入孔２１４に固定され、それにより、左、右アーム運動装置２０、３０を同時に動かすことができる（図５、７、８に図示）。バネ４３に押されたピン４２が１８０度挿入孔２１５に固定されると、左、右アーム運動装置２０、３０は、自転車の二つのペダルのように連動する（図６、７、９に図示）。偏心ノブ４８を回転させる引っ張る力を生じさせると、ピン４２が引っ張り上げられてバネ４３が圧縮し、左、右アーム運動装置２０、３０はそれぞれ独立するため、片手の運動或は両手でそれぞれ自由に運動することができる（図７、１０に図示）。
【００１１】
前記減衰調整装置５０は、弧状板５１と、圧力ノブ５５と、からなる。前記弧状板５１における左、右フライホイール２２、３１向きの両側面及び周囲面には、複数のブレーキ片５２が設けられ、弧状板５１中央の両側には、ガイド軸バー５３がそれぞれ設けられ、前記ガイド軸バー５３並びに弧状板５１内面に設けられた弾性部材５４によって弧状板５１が支えられる。前記圧力ノブ５５は、弾性部品５６によって弧状板５１外面を押し付ける。圧力ノブ５５は、雄ねじ５５１によって前記五又分岐管１１頂面に設けられた雌ねじ１１１に螺合される。圧力ノブ５５を締めることで、弾性部品５６は更に大きな圧力を弧状板５１にかけ、全てのブレーキ片５２が左、右フライホイール２２、３１にさらに強い減衰力を加える。
【００１２】
前記ユニバーサル固定支持装置１０は、五又分岐管１１から下に延伸した二本の管体１２を備え、二本の管体１２下方には、第一湾曲管１３１及び第二湾曲管１３２がそれぞれ枢接され、第一、二湾曲管１３１、１３２は、３６０度回転して最も適切な位置に調整することができる。第一湾曲管１３１下方には、第一回転ヘッド１４１が枢接され、第一回転ヘッド１４１下方には第一前後振りヘッド１５１が枢接され、それにより第一回転ヘッド１４１が３６０度回転して最も適切な位置に調整することができる。また、第一前後振りヘッド１５１は、３４０度の範囲で回転させて位置を調整し前後に振らせることができる。第二湾曲管１３２下方には第二回転ヘッド１４２が枢接され、第二回転ヘッド１４２下方には第二前後振りヘッド１５２が枢接され、それにより、第二回転ヘッド１４２が３６０度回転して最も適切な位置に調整することができる。また、第二前後振りヘッド１５２は、３４０度の範囲で回転させて位置を調整し前後に振らせることができる。第一、二前後振りヘッド１５２は、新しく購入した或はすでに所有している足の運動器具のバー部材２に固定することができる。
【００１３】
図１、５、６に示すように、本考案は、さらにケース６０を備え、前記ケース６０は多機能アーム回転グリップ運動器具１外周に固定され、五又分岐管１１上及び左フライホイール２２と右フライホイール３１に、複数のセンサー素子６１が対応するように設けられ、ケース６０にはモニター６２が設けられ、モニター６２は前記センサー素子６１に電気的に連結される。それにより、左或は右フライホイール２２、３１の回転速度がモニター６２に表示され、使用者が見ることができる。
【００１４】
上述の説明から分かるように、本考案は、連動させる、同時に動かす、独立して動かすという運動方法を備えた両腕の運動装置であり、減衰の大きさを調整できる減衰調整装置も備えている。さらに、ユニバーサル固定フレームを備えているため、どんな場所にでも固定でき、既存の足の運動器具にも取り付けられるため、高い産業利用性を有している。
【符号の説明】
【００１５】
１      多機能アーム回転グリップ運動器具
２      バー部材
１０    ユニバーサル固定支持装置
１１    五又分岐管
１１１  雌ねじ
１２    管体
１３１  第一湾曲管
１３２  第二湾曲管
１４１  第一回転ヘッド
１４２  第二回転ヘッド
１５１  第一前後振りヘッド
１５２  第二前後振りヘッド
２０    左アーム運動装置
２１    主軸
２１１  スプラインハブ
２１２  第一雄ねじ
２１３  第二雄ねじ
２１４  ０度挿入孔
２１５  １８０度挿入孔
２２    左フライホイール
２２１  第一スプライン溝
２３    第一固定ブロック
２３１  第二スプライン溝
２３２  ネジ穴
２４    第一ナット
２５    左アーム回転グリップ
２５１  ネジ
２６    第二ナット
３０    右アーム運動装置
３１    右フライホイール
３１１  第一キー溝
３２    軸受
３３    第二固定ブロック
３３１  第二キー溝
３３２  ネジ穴
３３３  雌ネジ穴
３３４  通孔
３４    キーブロック
３５    右アーム回転グリップ
３５１  ネジ
４０    クイック取り外しピン装置
４１    クイック取り外し台座管
４１１  遮断板
４１２  雄ねじ
４１３  リング
４１３１雌ネジ穴
４２    ピン
４２１  雌ねじ
４３    バネ
４４    カバー部材
４４１  穿孔
４４２  雌ねじ
４５    固定ネジ部材
４６    内カバー部材
４６１  雌ねじ
４６２  雄ねじ
４７    連結バー
４７１  雄ねじ
４７２  ピン孔
４８    偏心ノブ
４８１  ピン孔
４９    ピンバー
５０    減衰調整装置
５１    弧状板
５２    ブレーキ片
５３    ガイド軸バー
５４    弾性部材
５５    圧力ノブ
５５１  雄ねじ
５６    弾性部品
６０    ケース
６１    センサー素子
６２    モニター
【図１】
0003210539.tif 000003
【図２】
0003210539.tif 000004
【図３】
0003210539.tif 000005
【図４】
0003210539.tif 000006
【図５】
0003210539.tif 000007
【図６】
0003210539.tif 000008
【図７】
0003210539.tif 000009
【図８】
0003210539.tif 000010
【図９】
0003210539.tif 000011
【図１０】
0003210539.tif 000012
【手続補正書】
【提出日】平成29年2月6日(2017.2.6)
【手続補正１】
【補正対象書類名】実用新案登録請求の範囲
【補正対象項目名】請求項３
【補正方法】変更
【補正の内容】
【請求項３】
前記右アーム運動装置は、右フライホイールと、第二固定ブロックと、右アーム回転グリップとからなり、前記右フライホイールは、複数の軸受によって間隔をあけて前記主軸に取り付けられ、第二固定ブロックも、複数の軸受によって間隔をあけて主軸に取り付けられ、右フライホイール側面には第一キー溝が設けられ、第二固定ブロック側面には第一キー溝と対応するように第二キー溝が設けられ、キーブロックが第一、二キー溝に取り付けられて右フライホイールと第二固定ブロックが連結され、主軸右側には第二雄ねじが設けられて第二ナットで第二固定ブロックに螺合し位置決めし、第二固定ブロックのもう一方の側面には複数のネジ穴が設けられ、前記右アーム回転グリップには複数のネジが設けられて第二固定ブロック側面の複数のネジ穴に螺合され、以上により、連結された右アーム回転グリップ及び第二固定ブロック及び右フライホイールが右アーム運動装置を形成することを特徴とする、請求項２に記載の多機能アーム回転グリップ運動器具。
【手続補正２】
【補正対象書類名】実用新案登録請求の範囲
【補正対象項目名】請求項４
【補正方法】変更
【補正の内容】
【請求項４】
前記クイック取り外しピン装置は、クイック取り外し台座管と、ピンと、バネと、カバー部材と、固定ネジ部材と、内カバー部材と、連結バーと、偏心ノブとからなり、前記クイック取り外し台座管内には遮断板が設けられ、ピンにバネをはめ込んだ後、遮断板によって貫通させることで、バネの一端がピンに当接し、他端は遮断板に当接し、カバー部材内には穿孔及び雌ねじが設けられ、穿孔には、固定ネジ部材の前端を通してピンの雌ねじに螺合し、内カバー部材には、雌ネジ、雄ねじが設けられ、雄ねじはカバー部材の雌ねじに螺合され、雌ねじは、連結バーの雄ねじに螺合され、連結バーの頂端に近い位置にはピン孔が設けられ、偏心ノブには、連結バーのピン孔と揃うピン孔が設けられ、それらピン孔にピンバーを貫通して固定し、偏心ノブは、クイック取り外し台座管頂端の弧面上に当接し、クイック取り外し台座管下方には雄ねじが設けられ、リング及び前記第二固定ブロックには雌ネジ穴がそれぞれ設けられてクイック取り外し台座管の雄ねじに螺合され、第二固定ブロックの雌ネジ穴には、さらに内側に向かって通孔が設けられ、前記通孔はピンを貫通させ、前記主軸におけるピンに揃う位置且つ左アーム回転グリップと同じ角度或は相互の差が１８０度の位置に、０度挿入孔及び１８０度挿入孔が設けられ、偏心ノブの引っ張る力を開放すると、バネに押されたピンが０度挿入孔に固定され、それにより、左、右アーム運動装置を同時に動かすことができ、バネに押されたピンが１８０度挿入孔に固定されると、左、右アーム運動装置は連動し、偏心ノブを回転させる引っ張る力を生じさせると、ピンが引っ張り上げられてバネが圧縮し、左、右アーム運動装置それぞれ独立するため、片手の運動或は両手でそれぞれ自由に運動することができることを特徴とする、請求項２に記載の多機能アーム回転グリップ運動器具。
【手続補正３】
【補正対象書類名】実用新案登録請求の範囲
【補正対象項目名】請求項５
【補正方法】変更
【補正の内容】
【請求項５】
前記減衰調整装置は、弧状板と、圧力ノブと、からなり、前記弧状板における左、右フライホイール向きの両側面及び周囲面には、複数のブレーキ片が設けられ、弧状板中央の両側には、ガイド軸バーがそれぞれ設けられ、前記ガイド軸バー並びに弧状板内面に設けられた弾性部材によって弧状板が支えられ、前記圧力ノブは、弾性部品によって弧状板外面を押し付け、圧力ノブは、雄ねじによって前記五又分岐管頂面に設けられた雌ねじに螺合され、圧力ノブを締めることで、弾性部品は更に大きな圧力を弧状板にかけるとともに、全てのブレーキ片が左、右フライホイールにさらに強い減衰力を加えることを特徴とする、請求項２または請求項３に記載の多機能アーム回転グリップ運動器具。
【手続補正４】
【補正対象書類名】実用新案登録請求の範囲
【補正対象項目名】請求項７
【補正方法】変更
【補正の内容】
【請求項７】
前記多機能アーム回転グリップ運動器具は、さらにケースを備え、前記ケースは多機能アーム回転グリップ運動器具の外周に固定され、五又分岐管上及び左フライホイールと右フライホイールには、複数のセンサー素子が対応するように設けられ、ケースにはモニターが設けられ、モニターは前記センサー素子に電気的に連結され、それにより、左或は右フライホイールの回転速度がモニターに表示されて使用者がみることができることを特徴とする、請求項２または請求項３に記載の多機能アーム回転グリップ運動器具。
【手続補正書】
【提出日】平成29年4月3日(2017.4.3)
【手続補正１】
【補正対象書類名】実用新案登録請求の範囲
【補正対象項目名】請求項４
【補正方法】変更
【補正の内容】
【請求項４】
前記クイック取り外しピン装置は、クイック取り外し台座管と、ピンと、バネと、カバー部材と、固定ネジ部材と、内カバー部材と、連結バーと、偏心ノブとからなり、前記クイック取り外し台座管内には遮断板が設けられ、ピンにバネをはめ込んだ後、遮断板によって貫通させることで、バネの一端がピンに当接し、他端は遮断板に当接し、カバー部材内には穿孔及び雌ねじが設けられ、穿孔には、固定ネジ部材の前端を通してピンの雌ねじに螺合し、内カバー部材には、雌ネジ、雄ねじが設けられ、雄ねじはカバー部材の雌ねじに螺合され、雌ねじは、連結バーの雄ねじに螺合され、連結バーの頂端に近い位置にはピン孔が設けられ、偏心ノブには、連結バーのピン孔と揃うピン孔が設けられ、それらピン孔にピンバーを貫通して固定し、偏心ノブは、クイック取り外し台座管頂端の弧面上に当接し、クイック取り外し台座管下方には雄ねじが設けられ、リング及び前記第二固定ブロックには雌ネジ穴がそれぞれ設けられてクイック取り外し台座管の雄ねじに螺合され、第二固定ブロックの雌ネジ穴には、さらに内側に向かって通孔が設けられ、前記通孔はピンを貫通させ、前記主軸におけるピンに揃う位置且つ左アーム回転グリップと同じ角度或は相互の差が１８０度の位置に、０度挿入孔及び１８０度挿入孔が設けられ、偏心ノブの引っ張る力を開放すると、バネに押されたピンが０度挿入孔に固定され、それにより、左、右アーム運動装置を同時に動かすことができ、バネに押されたピンが１８０度挿入孔に固定されると、左、右アーム運動装置は連動し、偏心ノブを回転させる引っ張る力を生じさせると、ピンが引っ張り上げられてバネが圧縮し、左、右アーム運動装置それぞれ独立するため、片手の運動或は両手でそれぞれ自由に運動することができることを特徴とする、請求項３に記載の多機能アーム回転グリップ運動器具。
【手続補正２】
【補正対象書類名】実用新案登録請求の範囲
【補正対象項目名】請求項５
【補正方法】変更
【補正の内容】
【請求項５】
前記減衰調整装置は、弧状板と、圧力ノブと、からなり、前記弧状板における左、右フライホイール向きの両側面及び周囲面には、複数のブレーキ片が設けられ、弧状板中央の両側には、ガイド軸バーがそれぞれ設けられ、前記ガイド軸バー並びに弧状板内面に設けられた弾性部材によって弧状板が支えられ、前記圧力ノブは、弾性部品によって弧状板外面を押し付け、圧力ノブは、雄ねじによって前記五又分岐管頂面に設けられた雌ねじに螺合され、圧力ノブを締めることで、弾性部品は更に大きな圧力を弧状板にかけるとともに、全てのブレーキ片が左、右フライホイールにさらに強い減衰力を加えることを特徴とする、請求項３に記載の多機能アーム回転グリップ運動器具。
【手続補正３】
【補正対象書類名】実用新案登録請求の範囲
【補正対象項目名】請求項７
【補正方法】変更
【補正の内容】
【請求項７】
前記多機能アーム回転グリップ運動器具は、さらにケースを備え、前記ケースは多機能アーム回転グリップ運動器具の外周に固定され、五又分岐管上及び左フライホイールと右フライホイールには、複数のセンサー素子が対応するように設けられ、ケースにはモニターが設けられ、モニターは前記センサー素子に電気的に連結され、それにより、左或は右フライホイールの回転速度がモニターに表示されて使用者がみることができることを特徴とする、請求項３に記載の多機能アーム回転グリップ運動器具。